(57)【要約】【課題】  ロープの把握および巻取り・巻戻しを確実にした上で、ロープを巻き掛けるドラムを含む部分の組み立てが容易なウインチを提供する。【解決手段】  回転駆動される駆動ドラム１を有し、その駆動ドラム１の周縁部にワイヤロープ１５を巻き掛けられるウインチであって、駆動ドラム１の周縁部との間に周縁溝部２１を形成し、ワイヤロープをその周縁溝部に収容するように、駆動ドラム１と軸心を共有して配置される環状体の従動ドラム２と、従動ドラム２を駆動ドラム１側に押し付ける付勢力を生じる少なくとも１つの皿ばね３とを備える。【選択図】        図２
0003109988.tif 000002
【実用新案登録請求の範囲】
【請求項１】
回転駆動される駆動ドラムを有し、その駆動ドラムの周縁部にロープが巻き掛けられるウインチであって、
前記駆動ドラムの周縁部との間に周縁溝部を形成し、前記ロープをその周縁溝部に収容するように、前記駆動ドラムと軸心を共有して配置される環状体の従動ドラムと、
前記従動ドラムを前記駆動ドラム側に押す付勢力を生じる少なくとも１つの皿ばねとを備える、ウインチ。
【請求項２】
前記周縁溝部において前記ロープが巻き掛けられない周縁溝部の部分において、前記駆動ドラム周縁部と従動ドラムとに挟まれるようにそのローラ部分が位置する、隙間ローラを備える、請求項１に記載のウインチ。
【請求項３】
前記周縁溝部の外方の開口端を覆うようにドラム用ガイド板が配置される、請求項１または２に記載のウインチ。
【考案の詳細な説明】
【技術分野】
【０００１】
本考案はウインチに関し、とくにロープ把握機構を簡単な構造で高信頼性が得られるように構成したウインチに関するものである。
【背景技術】
【０００２】
被牽引物を牽引駆動するウインチでは、ロープを挿通させ、かつそのロープを把握するロープ把握機構が安全性確保の観点から重要な役割を演ずる。すなわちロープの把握が不十分な場合、ウインチは確固とした牽引駆動を行なうことができない。このため、従来よりロープの把握機構およびそれを含むウインチについて多くの提案がなされてきた。
【０００３】
たとえば、２つの駆動ドラムを上下に並べてロープを８の字上にその駆動ドラムの周面に周回させる例が開示されている。この駆動ドラムの周面には溝が設けてあり、ロープはこの溝内に収納される。ロープと溝とのすべりを防止するために、溝の一方の側壁は移動可能な従動ドラムと呼ばれる環状体で形成され、駆動ドラムの周縁に沿って配置された複数のコイルばねにより、その従動ドラムを介在させてロープを他方の側壁を構成する駆動ドラム周縁部に押し付ける（たとえば特許文献１参照）。また、上記複数のコイルばねの他に、根元をボルトで固定された複数の板ばねによって上記従動ドラムを介在させてワイヤを他方の側壁側に押し付ける構造も開示されている。
【特許文献１】特開昭５１-１４１９５８号公報
【考案の開示】
【考案が解決しようとする課題】
【０００４】
上記従動ドラムを介在させてロープを駆動ドラム周縁部の側壁に押し付ける構造において、その押し付ける付勢力を生じる部材に、上記のように複数のコイルばねまたは板ばねを用いると、ウインチの組み立てが非常に困難になる。とくに、ロープの保持に必要なばね力の調整を個々のばねについて調整しなければならない。また、上記のように離散的に配置された複数個のばねを用いて付勢力を従動ドラムに印加すると、従動ドラムに集中荷重が作用して従動ドラム自体に波打ち変形が発生し、さらに回転駆動されることにより繰り返し波打ち変形が発生するため、従動ドラムの疲労破壊に十分注意しなければならない。
【０００５】
本考案は、ロープの把握および巻取り・巻戻しを確実にした上で、ロープを巻き掛けるドラムを含む部分の組み立てが容易なウインチを提供することを目的とする。
【課題を解決するための手段】
【０００６】
本考案のウインチは、回転駆動される駆動ドラムを有し、その駆動ドラムの周縁部にロープが巻き掛けられるウインチである。このウインチは、駆動ドラムの周縁部との間に周縁溝部を形成し、ロープをその周縁溝部に収容するように、駆動ドラムと軸心を共有して配置される環状体の従動ドラムと、従動ドラムを駆動ドラム側に押し付ける付勢力を生じる少なくとも１つの皿ばねとを備える。
【０００７】
上記の構成により、皿ばね全周で従動ドラムを駆動ドラム側に押し付けることができ、効率よくロープを駆動ドラム周縁部に押し付け、駆動ドラムと従動ドラムとロープとの間で確実なロープ把握を実現することができる。この場合、皿ばねのばね力による保持力は１箇所に挿入されているシムの調整によって行なうことができる。また、駆動ドラムおよび従動ドラムに摩耗が生じた場合、摩耗した量に相当する厚さのシムを取り除くことにより保持力を容易に初期値に回復させることができる。
【０００８】
また、皿ばね全周で従動ドラムを押え付けるため従来の集中荷重から分布荷重に変わり、従動ドラム自体に作用する曲げ応力が従来の集中荷重のときより小さくなる。
【考案を実施するための最良の形態】
【０００９】
つぎに図面を用いて本考案の実施の形態について説明する。図１は、本考案の実施の形態におけるウインチ１０の正面図である。図１において、ワイヤロープ１５は、ウインチ１０入口側において、ロープガイド１６とガイドパイプ１１とを通り、挿入・排出ガイド板１２とガイドシーブ８とによりガイドされながらドラム用ガイド板１３に外周を囲われた駆動ドラムの周縁部に巻き掛けられる。ガイドシーブ８からウインチ１０を出るワイヤロープ１５はウインチの右側外部に押し出される。ワイヤロープ１５は、ガイドシーブ８の間の駆動ドラム上方の部分には巻き掛けられず、この部分には、隙間ローラ６がそのローラ部分が、平面的に見て駆動ローラに部分的に重複されるように位置する。
【００１０】
図２は、図１のＩＩ-ＩＩ矢視図である。ガイドシーブ８上方のガイド板１４や隙間ローラ６の一部は、ガイドシーブ８の構造を示すために除かれている。図２において、駆動ドラム１は電動モータ２５によって回転駆動される。駆動ドラム１の周縁部にはＬ字状の切れ込みが入っており、従動ドラム２との間に、ワイヤロープ１５を収容する周縁溝部２１を形成する。この周縁溝部２１の底部は、当然、駆動ドラム１周縁部の上記Ｌ字状切れ込みの底部によって構成されるが、この周縁溝部２１の外方開口端は、別部材のドラム用ガイド板１３によって覆われ、いわばドラム用ガイド板１３が天井部を形成する。このように、ドラム用ガイド板１３によって天井部が形成されるためにワイヤロープ１５が周縁溝部２１から外部に飛び出すおそれはなくなる。
【００１１】
従動ドラム２は、駆動ドラム１との間に隙間ローラ６を挟む部分において所定の間隔を駆動ドラム１との間に保つことができる。その他の部分では従動ドラム２は、直接、ワイヤロープ１５に接触し、ワイヤロープ１５を駆動ドラム１に押し付ける。その押し付け力は、皿ばね３によって生じる。皿ばね３は、駆動ドラム１および従動ドラム２と軸心を共有する。皿ばね３は、シム４を介在させた皿ばね押え５と、従動ドラム２との間に配置され、その配置される空間の軸心方向の長さに応じて付勢力を発生する。
【００１２】
図３は、ワイヤロープ１５を周縁溝部２１に収容していない状態における駆動ドラム１、従動ドラム２、皿ばね３およびドラム用ガイド板１３の位置関係を示す図である。周縁溝部２１には皿ばね３の付勢力に抗する物が収容されていないので、従動ドラム２は周縁溝部２１に入り込んで周縁溝部２１の幅を狭くしている。
【００１３】
これに対して図４は、周縁溝部２１にワイヤロープ１５が収容されており、このため従動ドラム２は図３に示す位置から周縁溝部２１の側壁から離れる方向に押し戻されて周縁溝部２１の幅を広くしている。したがって、皿ばね３も高さを減じて圧縮され、駆動ドラム１に向けてワイヤロープ１５と従動ドラム２とを押し付ける付勢力を発生している。
【００１４】
次に、最初にワイヤロープ１５を上記ウインチ１０に導入する作業について説明する。まず、ロープガイド１６からワイヤロープ１５を挿入し、ワイヤロープ１５先端を、ガイドパイプ１１、ガイドシーブ８、隙間ローラ６、挿入・排出ガイド板１２を経て案内し、駆動ドラム１と従動ドラム２とで形成される周縁溝部２１にまで到達させる。つぎに駆動ドラム１および従動ドラム２を回転させることにより、ドラム用ガイド板１３に案内させてワイヤロープ１５先端部を上記駆動ドラム１と従動ドラム２との間（周縁溝部２１）に挟み込ませ回動させる。このワイヤロープ１５の挟み込みの際、従動ドラム２は、上述のように皿ばね３を圧縮変形させながら駆動ドラム１から離れるように軸心方向に沿って移動する。挟み込まれながら回動してきたワイヤロープ１５先端部は挿入・排出ガイド板１２に案内されて周縁溝部２１から外に出る。この周縁溝部２１から出たワイヤロープ１５先端部は、ガイドパイプ１１またはガイド板１４（ウインチのタイプによってガイドパイプ又はガイド板に変わる）に案内されてウインチの外へ押し出される。
【００１５】
上記本考案の実施の形態におけるウインチによれば、皿ばね全周で従動ドラムを駆動ドラム側に押し付けることができ、効率よくワイヤロープを駆動ドラム周縁部に押し付け、駆動ドラムと従動ドラムとロープとの間で確実なロープ把握を実現することができる。この場合、皿ばねのばね力による保持力は１箇所に挿入されているシムの調整によって行なうことができる。また、駆動ドラムおよび従動ドラムに摩耗が生じた場合、摩耗した量に相当する厚さのシムを取り除くことにより保持力を容易に初期値に回復させることができる。また、皿ばね全周で従動ドラムを押え付けるため従来の集中荷重から分布荷重に変わり、従動ドラム自体に作用する曲げ応力が従来の集中荷重のときより小さくなる。
【００１６】
図１に示すウインチではウインチの上部から挿通したワイヤロープは駆動ドラムを周回した後、右側からウインチの外に押し出されたが、図５に示すように、上方に押し出されてもよい。また図１および図５において、ワイヤロープの入口と出口とを逆にしてもよい。また、皿ばねは、上記実施の形態では１つだけの場合を例示したが、２つ以上の皿ばねを、同じ向きに重ねたものでもよいし、逆向きにして背中合わせ重ねたものでもよい。
【産業上の利用可能性】
【００１７】
本考案のウインチを用いることにより、ワイヤロープの把握および巻取り・巻戻しを確実にした上で、ワイヤロープを巻き掛けるドラムを含む部分の組み立てが容易となるので、超高層ビル外装の清掃用のゴンドラをはじめ多くの牽引装置に広範に用いられることが期待される。
【図面の簡単な説明】
【００１８】
【図１】本考案の実施の形態におけるウインチの正面図である。
【図２】図１のＩＩ-ＩＩ矢視図である。
【図３】ワイヤロープが挿通される前の駆動ドラム、従動ドラムおよび皿ばねの位置関係を示す図である。
【図４】ワイヤロープが挿通され駆動ドラムに巻き掛けられた状態の駆動ドラム、従動ドラムおよび皿ばねの位置関係を示す図である。
【図５】本考案の別の実施の形態のウインチの正面図である。
【符号の説明】
【００１９】
１  駆動ドラム、２  従動ドラム、３  皿ばね、４  シム、５  皿ばね押え、６  隙間ローラ、８  ガイドシーブ、１０  ウインチ、１１  ガイドパイプ、１２  挿入・排出ガイド板、１３  ドラム用ガイド板、１４  ガイド板、１６  ロープガイド、１５  ワイヤロープ、２１  周縁溝部、２５  電動モータ。
【図１】
0003109988.tif 000003
【図２】
0003109988.tif 000004
【図３】
0003109988.tif 000005
【図４】
0003109988.tif 000006
【図５】
0003109988.tif 000007